(57)【要約】【課題】明るい色を基調とする場合であって、カビが生えても障子の見栄えが悪くなることがなく、使用者に不快感を与えることがないビード、およびビードを備えた開口装置を提供する。【解決手段】ビード４０のガラスパネル当接面４２ａ〜４２ｄ、４０２ａ〜４０２ｃの明度を０〜４．９の範囲に、外部に露出する部分の明度を５〜１０の範囲に設定する。【選択図】      図４
2004169511.tif 000002
【特許請求の範囲】
【請求項１】
ガラスパネル当接面の明度が０〜４．９の範囲に、外部に露出する部分の明度が５〜１０の範囲に設定されているビード。
【請求項２】
ガラスパネルの各辺において、
ガラスパネル当接面が内部に閉じた形状を有しないひとつの面で構成されている場合には、前記ガラスパネル当接面の明度が０〜４．９の範囲に、
ガラスパネル当接面が内部に閉じた形状を有している場合には、前記ガラスパネル当接面および前記内部が閉じた形状の部分のうち少なくとも前記ガラスパネルに対向する面の明度が０〜４．９の範囲に、
ガラスパネル当接面が離隔された複数の面である場合には、前記ガラスパネル当接面および前記離隔された複数の面に挟まれる部分のうち少なくとも前記ガラスパネルに対向する面の明度が０〜４．９の範囲に、
ガラスパネル当接面が内部に閉じた形状を有し、かつ離隔された複数の面をもつ場合には、前記ガラスパネル当接面、前記内部が閉じた形状の部分のうち少なくとも前記ガラスパネルに対向する面、および前記離隔された複数の面に挟まれる部分のうち少なくとも前記ガラスパネルに対向する面の明度が０〜４．９の範囲に、
外部に露出する部分の明度が５〜１０の範囲に設定されているビード。
【請求項３】
ビードが周囲に装着されたガラスパネルを備えた開口装置であって、前記ビードは、前記ガラスパネルへの当接面の明度が０〜４．９の範囲に、外部に露出する部分の明度が５〜１０の範囲に設定されていることを特徴とする開口装置。
【請求項４】
ビードが周囲に装着されたガラスパネルを備えた開口装置であって、
ガラスパネルの各辺において、
前記ビードの前記ガラスパネルへの当接面が内部に閉じた形状を有しないひとつの面で構成されている場合には、前記ビードのガラスパネル当接面の明度が０〜４．９の範囲に、
前記ビードの前記ガラスパネルへの当接面が内部に閉じた形状を有している場合には、前記ビードの、前記ガラスパネル当接面および前記内部が閉じた形状の部分のうち少なくとも前記ガラスパネル越しに見える部分の明度が０〜４．９の範囲に、
前記ビードの前記ガラスパネルへの当接面が離隔された複数の面である場合には、前記ビードの、前記ガラスパネル当接面および前記離隔された複数の面に挟まれる部分のうち少なくとも前記ガラスパネル越しに見える部分の明度が０〜４．９の範囲に、
前記ビードの前記ガラスパネルへの当接面が内部に閉じた形状を有し、かつ離隔された複数の面をもつ場合には、前記ビードの、前記ガラスパネル当接面、前記内部が閉じた形状の部分のうち少なくとも前記ガラスパネル越しに見える部分、および前記離隔された複数の面に挟まれる部分のうち少なくとものうち少なくとも前記ガラスパネル越しに見える部分の明度が０〜４．９の範囲に、
前記ビードの外部に露出する部分の明度が５〜１０の範囲に設定されている
ことを特徴とする開口装置。
【発明の詳細な説明】
【０００１】
【発明の属する技術分野】
本発明は、ガラスパネルの周囲に装着される緩衝および気密用のビードおよびそのビードが装着されたガラスパネルを備えた開口装置に関する。
【０００２】
【従来の技術】
障子の框にガラスパネルを装着する場合、緩衝機能を持たせ、また、気密を保つことを目的としてガラスパネルの周囲にビードが装着される。このビードに関して、特許文献１では、断面略溝形で長尺の硬質ビード本体と、このビード本体の両上縁部に一体的に設けられた軟質鍔部とを有するいわゆるグレイジングチャンネルと称されるビードが開示されている。また特許文献２においては、複層ガラスの周縁部を包囲できるサッシ枠の複層ガラスに相対する内側面に配設される長尺部材である複層ガラス用ビードであって、サッシ枠から露出するビードの部分の表層には異なる彩色を有する複数層の剥離層が剥離可能に設けられている複層ガラス用ビードが開示されている。これらビードのガラス当接面は、ガラスパネルとの密着性を高めるため、軟質の塩化ビニル等樹脂材料により形成されている。また、当然のことながらガラスパネルは透明なので、ビードのガラスパネル当接面はガラス越しに見えることになる。特に一枚の障子に二枚のガラスパネルが組み込まれている複層ガラスにおいては、ガラスパネル越しに見えるビードのガラスパネル当接面が顕である。
【特許文献１】
特許第３１８７３０７号公報
【特許文献２】
特開２００２−１３８７６３号公報
【０００３】
【発明が解決しようとする課題】
しかし、長年の使用によりビード表面に黒色系のカビが生えることがある。特にサッシが明るい色で構成されている場合、ビードも明るい色を基調としてデザインされる場合が多いのでカビが目立ちやすい。発生したカビは、外部に露出している部分についてはカビ取り剤などにより除去することが可能であるが、ガラス当接面などカビ取り剤を使用することができない部分があり、この部分がガラス越しに見えてしまうため、障子の見栄えが悪くなって、使用者に不快感を与えてしまうという問題があった。
【０００４】
そこで、本発明は、明るい色を基調とする場合であって、カビが生えても障子の見栄えが悪くなることがなく、使用者に不快感を与えることがないビード、および該ビードを備えた開口装置を提供することを課題とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
請求項１の発明は、ガラスパネル当接面（２１ａ、２２ａ、２３ａ、２３ｂ、４２ａ〜４２ｄ、４０２ａ〜４０２ｃ）の明度が０〜４．９の範囲に、外部に露出する部分の明度が５〜１０の範囲に設定されているビード（１６、４０）により前記課題を解決する。
【０００７】
ここに「明度」とは、物体表面の相対的な明暗の属性で、それを尺度化したものをいい、一般にマンセル明度といわれるものをさす。マンセル明度はマンセル色空間の中心軸で、最上部に明度１０の白を、下に明度０の黒を置き、その間に知覚的に等歩度になるように各明るさの灰色を配置してゆくものである。有彩色の明るさもこのスケールに準じる。
【０００８】
また、「ガラスパネル当接面」とは、ガラスの平面に当接する部分をいい、例えばグレイジングチャンネルの溝形部においてガラス端面に当接するような部分は除外するものとする。
【０００９】
さらに、「外部に露出する部分」とは、室内、室外の別を問わず使用者の視線に直接さらされる部分をいう。従って、ガラス越しにのみ見える部分は含まれない。
【００１０】
一般に、ビードに生えるカビは黒色等、明度が低いので、明度の低い部分に生えても目立たない。したがって、この発明によれば、たとえビードのガラス当接面にカビが生え、その部分のカビの除去が不可能であっても、ガラス当接面の明度が０〜４．９の範囲に設定されているので、カビとの明度の差が少なく、ガラス越しに見ても黒色のカビが目立つことがない。一方、それ以外の部分は明度が５〜１０の範囲に設定されているので、黒色のカビが生えると目立つが、この部分はカビ取り剤等によりカビを除去することができるので、美観を損ねることが防止される。このようにして明度が高く設定され明るい色を基調とするサッシとも美的につりあいのとれたビードを構成することが可能となる。
【００１１】
請求項２の発明は、ガラスパネル（１５ａ、１５ｂ、３５ａ、３５ｂ）の各辺において、ガラスパネル当接面（２１ａ、２２ａ）が内部に閉じた形状を有しないひとつの面で構成されている場合にはガラスパネル当接面の明度が０〜４．９の範囲に、ガラスパネル当接面が内部に閉じた形状を有している場合にはガラスパネル当接面および内部が閉じた形状の部分のうち少なくともガラスパネルに対向する面の明度が０〜４．９の範囲に、ガラスパネル当接面が離隔された複数の面である場合にはガラスパネル当接面（２３ａ、２３ｂ、４２ａ〜４２ｄ、４０２ａ〜４０２ｃ）および離隔された複数の面に挟まれる部分（２３ｃ、４３ａ〜４３ｃ、４０３ａ、４０３ｂ）のうち少なくともガラスパネルに対向する面の明度が０〜４．９の範囲に、ガラスパネル当接面が内部に閉じた形状を有しかつ離隔された複数の面をもつ場合にはガラスパネル当接面、内部が閉じた形状の部分のうち少なくともガラスパネルに対向する面および離隔された複数の面に挟まれる部分のうち少なくともガラスパネルに対向する面の明度が０〜４．９の範囲に、外部に露出する部分の明度が５〜１０の範囲に設定されているビード（１６、４０）により前記課題を解決する。
【００１２】
この発明によれば、ガラス当接面以外にも、ガラス越しに見える部分であって、カビ取り剤等が使用できない箇所、すなわち、
ガラスパネル当接面が内部に閉じた形状を有している場合における内部が閉じた形状の部分、
ガラスパネル当接面が離隔された複数の面である場合における離隔された複数の面に挟まれる部分、および
ガラスパネル当接面が内部に閉じた形状を有し、かつ離隔された複数の面をもつ場合における内部が閉じた形状の部分、および離隔された複数の面に挟まれる部分
があり、これらの部分のうち少なくともガラス越しに見える部分の明度も０〜４．９の範囲に設定される。したがって、これらの部分にカビが生えて、そのカビの除去が困難な場合であっても、カビとの明度の差が少なく、ガラス越しに見ても黒色のカビが目立つことがない。一方、それ以外の部分は明度が５〜１０の範囲に設定されているので、黒色のカビが生えると目立つが、この部分はカビ取り剤等によりカビを除去することができるので、美観を損ねることが防止される。このようにして明度が高く設定され明るい色を基調とするサッシとも美的につりあいのとれたビードを構成することが可能となる。
【００１３】
請求項３の発明は、ビード（１６、４０）が周囲に装着されたガラスパネル（１５ａ、１５ｂ、３５ａ、３５ｂ）を備えた開口装置であって、ビードのガラスパネル（１５ａ、１５ｂ、３５ａ、３５ｂ）への当接面（２１ａ、２２ａ、２３ａ、２３ｂ、４２ａ〜４２ｄ、４０２ａ〜４０２ｃ）の明度が０〜４．９の範囲に、外部に露出する部分の明度が５〜１０の範囲に設定されていることを特徴とする開口装置（１、３）により前記課題を解決する。
【００１４】
この発明によれば、たとえビードのガラス当接面にカビが生え、その部分のカビの除去が不可能であっても、ガラス当接面の明度が０〜４．９の範囲に設定されているので、カビとの明度の差が少なく、ガラス越しに見ても黒色のカビが目立つことがない。一方、それ以外の部分は明度が５〜１０の範囲に設定されているので、黒色のカビが生えると目立つが、この部分はカビ取り剤等によりカビを除去することができるので、美観を損ねることが防止される。このようにして明度が高く設定され明るい色を基調とするサッシと、そのサッシと美的につりあいのとれたビードとを備えた開口装置を構成することが可能となる。
【００１５】
請求項４の発明は、ビード（１６、４０）が周囲に装着されたガラスパネル（１５ａ、１５ｂ、３５ａ、３５ｂ）を備えた開口装置であって、ガラスパネルの各辺において、ビードのガラスパネルへの当接面（２１ａ、２２ａ）が内部に閉じた形状を有しないひとつの面で構成されている場合にはビードのガラスパネル当接面の明度が０〜４．９の範囲に、ビードのガラスパネルへの当接面が内部に閉じた形状を有している場合にはビードのガラスパネル当接面および内部が閉じた形状の部分のうち少なくともガラスパネル越しに見える部分の明度が０〜４．９の範囲に、ビードのガラスパネルへの当接面が離隔された複数の面である場合にはビードのガラスパネル当接面（２３ａ、２３ｂ、４２ａ〜４２ｄ、４０２ａ〜４０２ｃ）および離隔された複数の面に挟まれる部分（２３ｃ，４３ａ〜４３ｃ、４０３ａ、４０３ｂ）のうち少なくともガラスパネル越しに見える部分の明度が０〜４．９の範囲に、ビードのガラスパネルへの当接面が内部に閉じた形状を有しかつ離隔された複数の面をもつ場合にはビードのガラスパネル当接面、内部が閉じた形状の部分のうち少なくともガラスパネル越しに見える部分、および離隔された複数の面に挟まれる部分のうち少なくとものうち少なくともガラスパネル越しに見える部分の明度が０〜４．９の範囲に、ビードの外部に露出する部分の明度が５〜１０の範囲に設定されていることを特徴とする開口装置（１、３）により前記課題を解決する。
【００１６】
この発明によれば、ガラスパネル当接面以外にも、ガラスパネル越しに見える部分であって、カビ取り剤等が使用できない箇所、すなわち、
ガラスパネル当接面が内部に閉じた形状を有している場合における内部が閉じた形状の部分、
ガラスパネル当接面が離隔された複数の面である場合における離隔された複数の面に挟まれる部分、および
ガラスパネル当接面が内部に閉じた形状を有し、かつ離隔された複数の面をもつ場合における内部が閉じた形状の部分、および離隔された複数の面に挟まれる部分
があり、これらの部分のうち少なくともガラスパネル越しに見える部分の明度も０〜４．９の範囲に設定される。したがって、これらの部分にカビが生えて、そのカビの除去が困難な場合であっても、カビとの明度の差が少なく、ガラスパネル越しに見ても黒色のカビが目立つことがない。一方、それ以外の部分は明度が５〜１０の範囲に設定されているので、黒色のカビが生えると目立つが、この部分はカビ取り剤等によりカビを除去することができるので、美観を損ねることが防止される。このようにして明度が高く設定され明るい色を基調とするサッシと、そのサッシと美的につりあいのとれたビードとを備えた開口装置を構成することが可能となる。
【００１７】
なお、以上の各請求項にかかる発明において、ビードのガラスパネル当接面の明度、ガラスパネルに対向する面の明度、及びガラスパネル越しに見える部分の明度のさらに好ましい範囲は１〜３であり、ビードの外部に露出する部分の明度のさらに好ましい範囲は７〜９である。ビード各部をこのような明度の範囲に設定することにより、さらに明るい色を基調として、カビが生えても障子の見栄えが悪くなることがなく、使用者に不快感を与えることがないビードを構成することが可能となる。
【００１８】
本発明のこのような作用及び利得は、次に説明する実施の形態から明らかにされる。
【００１９】
【発明の実施の形態】
以下本発明を図面に示す実施形態に基づき説明する。なお以下の図面は全て断面図であるが、図面を見やすくするため、ビードの部分にのみハッチングを付し、他の部分のハッチングは省略して示すものとする。
＜第１実施形態＞
図１は、アルミと樹脂の複合サッシにグレイジングチャンネルを介して複層ガラスが固定されている開口装置１を示す垂直断面図である。図において左が室外側、右が室内側を示している。サッシの下框１０の室内側には樹脂パネル１１が取り付けられている。サッシの金属製（アルミニウム）下框１０と、樹脂パネル１１との間には空気層１２ａ、１２ｂが設けられており、室外と室内との間の断熱が効果的に図られるとともに、サッシ表面結露の発生の緩和が図られている。
【００２０】
下框１０の上端は樹脂パネル１１と組み合わされて溝形の断面形状を形成しており、該溝形の底部には基台１３が配置されている。基台１３上には、スペーサ１４を狭持して積層された複層ガラス１５ａ、１５ｂがグレイジングチャンネル１６の底部１６ａを介して載置されている。スペーサ１４の上部には、室内側ガラスパネル１５ａおよび室外側ガラスパネル１５ｂに挟まれるようにして空気層１９が形成されている。さらに室内側ガラスパネル１５ａおよび室外側ガラスパネル１５ｂのそれぞれ室内、室外に面する側にはグレイジングチャンネル１６のガラスパネル支持部１７、１８に当接されている。そして、ガラスパネル支持部１７、１８は、上記溝形に形成された断面形状の２つの上端、すなわち下框の上端１０ａと、樹脂パネルの上端１１ａに狭持されている。このようにして、室内側ガラスパネル１５ａおよび室外側ガラスパネル１５ｂが下框１０に固定されている。
【００２１】
今、図１の右上部に示される視点Ｓ１から、図の斜め下方向への視線Ｌ１について注目すると、視線Ｌ１は、室内側ガラスパネル１５ａを透過し、複層ガラス間の空気層１９を経て、さらに室外側ガラスパネル１５ｂを透過し、ガラスパネル支持部１７のガラスパネル当接面１７ａにいたる。なお、正確にはガラスと空気との屈折率の差により、視線Ｌ１は屈曲したものとなるが、ここでは屈折率の差を無視する（以下同じ。）。したがって、室外側ガラスパネル１５ｂに当接しているグレイジングチャンネルのガラスパネル当接面１７ａは、室内側からガラスパネル越しに見えることになる。同様にして室内側ガラスパネル１５ａに当接しているグレイジングチャンネルのガラスパネル当接面１８ａも、室外側からガラスパネル越しに見えることになる。したがって、グレイジングチャンネルのガラスパネル当接面は、直接外部に露出していないが、使用者から良く見える部分であるので、障子等の美観上重要な部分である。
【００２２】
本実施形態の開口装置１においては、グレイジングチャンネル１６の両ガラスパネル当接面１７ａ、１８ａは、明度が０〜４．９の範囲に、外部に露出する部分の明度は５〜１０の範囲に設定されている。したがって、グレイジングチャンネル１６の両ガラスパネル当接面１７ａ、１８ａの部分にカビが生えても、カビとその周囲の明度が近いのでカビが目立つことがない。また外部に露出する部分は明度が５〜１０の範囲に設定されているので、サッシや樹脂パネルの明度が高いものであってもつりあいの取れたデザインを保つことが容易となる。以下にグレイジングチャンネルのガラスパネル当接面の構造および明度について図２を参照しつつさらに詳しく説明する。
【００２３】
図２は、図１の開口装置１に使用されているグレイジングチャンネル１６を拡大して示す概略断面図である。図２に示されるとおり、グレイジングチャンネル１６は、断面形状略「コ」の字の開口が上方に向けられた形状をなしている。底部１６ａの両端には上方に向けて側壁部１６ｂ、１６ｃが延設され、側壁部１６ｂ、１６ｃの先端にはそれぞれガラスパネル支持部１７、１８が設けられている。以下にガラスパネル支持部１７について図２の下部に示す拡大図を参照して説明する。なお、ガラスパネル支持部１８は、ガラス支持部１７とは、左右対称の関係にあるので、ガラスパネル支持部１７の説明をもってガラスパネル支持部１８の説明に代えることにする。また、ガラスパネル支持部１７の拡大図においては、図面を見やすくするため断面を示すハッチングを省略して示している。
【００２４】
ガラスパネル支持部１７は、最も内側（ガラスパネル１５ｂ側）に位置する第１剥離片２１と、その外側に位置する第２剥離片２２と、さらにその外側に位置し、側壁部１６ｂと一体に設けられた押圧基部２３とを備えている。
【００２５】
第１剥離片２１および第２剥離片２２は、それぞれ第２剥離片２２、押圧基部２３から剥離可能に設けられている。すなわち、グレイジングチャンネル１６は、基本的にはこれらの剥離片を剥離せずに使用され、この場合、図１および図２に示されているように第１剥離片２１の表面部２１ａ（図において右端側）が、ガラスパネル当接面となる。したがってガラスパネル当接面２１ａの明度は０〜４．９の範囲に設定されている。
【００２６】
サッシのガラス開口の大きさが上記より大きな場合、例えば、室内側ガラスパネル１５ａ、および室外側ガラスパネル１５ｂの厚さが上記の場合より僅かに大きな場合には、第１剥離片２１が第２剥離片２２から剥離されて、第２剥離片２２の表面２２ａがガラスパネル当接面となる。したがってガラスパネル当接面２２ａの明度も０〜４．９の範囲に設定されている。
【００２７】
サッシのガラス開口の大きさがさらに大きな場合、第２剥離片２２も押圧基部２３から剥離される。この場合には押圧基部２３の表面が直接ガラスパネル１５ｂの表面に当接される。本実施形態の押圧基部２３は、断面形状略「Ｕ」の字の開口がガラスパネル１５ｂ側に向けられた形状に形成されている。したがって、２つの先端部２３ａ、２３ｂがガラスパネル当接部とされ、この部分の明度も０〜４．９の範囲に設定されている。
【００２８】
ガラスパネル当接部が押圧基部２３のような形状すなわち、複数の面や、閉鎖面を有する面（例えば、複数本の線状面や、環状に形成された面）である場合、これらの面に挟まれた部分（本実施形態においては符号２３ｃで表されている部分）は、ガラスパネル表面に当接されてはいないが、この部分に生えたカビを除去することは、ガラスパネル当接部に生えたカビを除去することと同様に困難である。しかもガラスパネル越しに良く見える部分である。したがってかかる部分もガラス当接面同様に、明度を０〜４．９の範囲に設定することが好ましい。なお、図２の拡大図において、明度を０〜４．９の範囲に設定する部分、および設定することが好ましい部分にスマッジングを付して示した。
＜第２実施形態＞
図３は、アルミと樹脂の複合サッシにビードを介して複層ガラスが固定されている他の形態の開口装置３を示す垂直断面図である。図３においても左が室外側、右が室内側を示している。
【００２９】
サッシの下框３０の室内側には樹脂パネル３１が取り付けられている。本実施形態においてもサッシの金属製（アルミニウム）下框３０と、樹脂パネル３１との間には空気層３２ａ、３２ｂが設けられており、室外と室内との間の断熱が効果的に図られるとともに、サッシ表面に結露が発生することの緩和が図られている。
【００３０】
下框３０の上面には基台３３が配置されている。基台１３上には、スペーサ３４を狭持して積層された複層ガラス３５ａ、３５ｂが直接載置されている。スペーサ３４の上部には、室内側ガラスパネル３５ａおよび室外側ガラスパネル３５ｂに挟まれるようにして空気層３９が形成されている。本実施形態では、片ビードと呼ばれるビード４０、５０が使用されている。この片ビードは、室内側ビード４０と、室外側ビード５０とが別体に形成されており、さらに両ビード４０、５０は形状が異なるものとされている。室内側ビード４０は、樹脂パネルの先端３１ａに取り付けられ、室内側ガラスパネル３５ａの室内側の面に当接されている。一方、室外側ビード５０は、下框の先端３０ａに取り付けられ、室外側ガラスパネル３５ｂの室外側の面に当接されている。
【００３１】
今、図３の左上部に示される視点Ｓ２から、図の斜め下方向への視線Ｌ２について注目すると、視線Ｌ２は、室外側ガラスパネル３５ｂを透過し、複層ガラス間３５ａ、３５ｂの空気層３９を経て、さらに室内側ガラスパネル３５ａを透過して、室内側ビード４０のガラスパネル当接面にいたる。したがって、室内側ガラスパネル３５ａに当接している室内側ビード４０のガラスパネル当接面は、室外側からガラスパネル越しに見えることになる。同様にして室外側ガラスパネル３５ｂに当接している室外側ビード５０のガラスパネル当接面も、室内側からガラスパネル越しに見えることになる。したがって、室内側ビード４０、および室外側ビード５０のガラスパネル当接面は、直接外部に露出していないが、使用者から良く見える部分であるので、障子等の美観上重要な部分である。
【００３２】
本実施形態の開口装置３においては、室内側ビード４０、および室外側ビード５０のガラスパネル当接面の明度が０〜４．９の範囲に，外部に露出する部分は５〜１０の範囲に設定されている。したがって、室内側ビード４０、および室外側ビード５０のガラスパネル当接面の部分にカビが生えても、カビとその周囲の明度が近いのでカビが目立つことがない。また外部に露出する部分は明度が５〜１０の範囲に設定されているので、サッシや樹脂パネルの明度が高いものであってもつりあいの取れたデザインを保つことが容易となる。以下に室内側ビード４０の構造および明度について図４を参照しつつさらに詳しく説明する。
【００３３】
図４は、図３の開口装置３における室内側ビード４０を拡大して示す断面図である。図４に示されるとおり、室内側ビード４０は、室内側ガラスパネル３５ａの室内側面に対向する剥離片４１と、それよりさらに室内側に位置する取り付け部４０１との２つのブロックが一体になって形成されている。
【００３４】
剥離片４１には、室内側ガラスパネル３５ａの室内側面に向けて４つの突出部４２ａ〜４２ｄが設けられ、これらの突出部の間に３つの湾入部４３ａ〜４３ｃが形成されている。これらとは反対側の取り付け部４０１に面する側は、平面状に形成されている。
【００３５】
取り付け部４０１の剥離片４１に面する側には３つの突出部４０２ａ〜４０２ｃが設けられ、これらの突出部の間には、２つの湾入部４０３ａ、４０３ｂが形成されている。反対側の室内に面する側には樹脂パネルの先端３０ａへ取り付けのため切欠き部４０４が設けられている。
【００３６】
剥離片４１は、取り付け部４０１から剥離可能に設けられている。すなわち、基本的には剥離片４１を剥離せずに、図３および図４に示されているように剥離片４１の４つの突出部４２ａ〜４２ｄが（図において左端側）が、ガラスパネル当接面となる。したがって突出部４２ａ〜４２ｄの明度は０〜４．９の範囲に設定されている。
【００３７】
サッシのガラス開口の大きさが上記より大きな場合、例えば、室内側ガラスパネル３５ａ、および室外側ガラスパネル３５ｂの厚さが上記の場合より大きな場合には、剥離片４１が取り付け部４０１から剥離されて、取り付け部４０１の左側端面である３つの突出部４０２ａ〜４０２ｃが直接ガラスパネル３５ａの表面に当接される。したがって３つの突出部４０２ａ〜４０２ｃの明度も５〜１０の範囲に設定されている。
【００３８】
本実施形態において、剥離片４１の３つの湾入部４３ａ〜４３ｃ、および取り付け部４０１の２つの湾入部４０３ａ、４０３ｂは直接ガラスパネルに当接されることはないが、この部分に生えたカビを除去することは、ガラスパネル当接部に生えたカビを除去することと同様に困難である。しかもガラスパネル越しに良く見える部分である。したがってかかる部分もガラスパネル当接面同様に、明度を０〜４．９の範囲に設定することが好ましい。なお、図４においても明度を０〜４．９の範囲に設定する部分、および設定することが好ましい部分にスマッジングを付して示した。
【００３９】
なお以上の説明においては、複層ガラスを使用した開口装置１、３について説明したが、本発明はこれに限定されることはなく、単層のガラスにおいても適用が可能である。ガラス自体に厚さがあるからである。
【００４０】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うビードおよびビードを備えた開口装置もまた本発明の技術的範囲に包含されるものとして理解されなければならない。
【００４１】
【発明の効果】
以上に説明したように、請求項１の発明によれば、たとえビードのガラスパネル当接面にカビが生え、その部分のカビの除去が不可能であっても、ガラスパネル当接面の明度が０〜４．９の範囲に設定されているので、カビとの明度の差が少なく、ガラスパネル越しに見ても黒色のカビが目立つことがない。一方、それ以外の部分は明度が５〜１０の範囲に設定されているので、黒色のカビが生えると目立つが、この部分はカビ取り剤等によりカビを除去することができるので、美観を損ねることが防止される。このようにして明度が高く設定され明るい色を基調とするサッシとも美的につりあいのとれたビードを構成することが可能となる。
【００４２】
請求項２の発明によれば、ガラスパネル当接面以外にも、ガラスパネル越しに見える部分であって、カビ取り剤等が使用できない箇所、すなわち、ガラスパネル当接面が内部に閉じた形状を有している場合における内部が閉じた形状の部分、ガラスパネル当接面が離隔された複数の面である場合における離隔された複数の面に挟まれる部分、およびガラスパネル当接面が内部に閉じた形状を有し、かつ離隔された複数の面をもつ場合における内部が閉じた形状の部分、および離隔された複数の面に挟まれる部分があり、これらの部分のうち少なくともガラスパネル越しに見える部分の明度も０〜４．９の範囲に設定される。したがって、これらの部分にカビが生えて、そのカビの除去が困難な場合であっても、カビとの明度の差が少なく、ガラスパネル越しに見ても黒色のカビが目立つことがない。一方、それ以外の部分は明度が５〜１０の範囲に設定されているので、黒色のカビが生えると目立つが、この部分はカビ取り剤等によりカビを除去することができるので、美観を損ねることが防止される。このようにして明度が高く設定され明るい色を基調とするサッシとも美的につりあいのとれたビードを構成することが可能となる。
【００４３】
請求項３の発明によれば、たとえビードのガラスパネル当接面にカビが生え、その部分のカビの除去が不可能であっても、ガラスパネル当接面の明度が０〜４．９の範囲に設定されているので、カビとの明度の差が少なく、ガラスパネル越しに見ても黒色のカビが目立つことがない。一方、それ以外の部分は明度が５〜１０の範囲に設定されているので、黒色のカビが生えると目立つが、この部分はカビ取り剤等によりカビを除去することができるので、美観を損ねることが防止される。このようにして明度が高く設定され明るい色を基調とするサッシと、そのサッシと美的につりあいのとれたビードとを備えた開口装置を構成することが可能となる。
【００４４】
請求項４の発明によれば、ガラスパネル当接面以外にも、ガラスパネル越しに見える部分であって、カビ取り剤等が使用できない箇所、すなわち、ガラスパネル当接面が内部に閉じた形状を有している場合における内部が閉じた形状の部分、ガラスパネル当接面が離隔された複数の面である場合における離隔された複数の面に挟まれる部分、およびガラスパネル当接面が内部に閉じた形状を有し、かつ離隔された複数の面をもつ場合における内部が閉じた形状の部分、および離隔された複数の面に挟まれる部分があり、これらの部分のうち少なくともガラスパネル越しに見える部分の明度も０〜４．９の範囲に設定される。したがって、これらの部分にカビが生えて、そのカビの除去が困難な場合であっても、カビとの明度の差が少なく、ガラスパネル越しに見ても黒色のカビが目立つことがない。一方、それ以外の部分は明度が５〜１０の範囲に設定されているので、黒色のカビが生えると目立つが、この部分はカビ取り剤等によりカビを除去することができるので、美観を損ねることが防止される。このようにして明度が高く設定され明るい色を基調とするサッシと、そのサッシと美的につりあいのとれたビードとを備えた開口装置を構成することが可能となる。
【図面の簡単な説明】
【図１】アルミと樹脂の複合サッシにグレイジングチャンネルを介して複層ガラスが固定されている開口装置を示す垂直断面図である。
【図２】図１のグレイジングチャンネルを拡大して示す図である。
【図３】他の形態のビードにより固定されている複層ガラスを備えた開口装置を示す垂直断面図である。
【図４】図３における一方側のビードを拡大して示す図である。
【符号の説明】
１  開口装置
３  開口装置
１５ａ，１５ｂ  ガラスパネル
１６  グレイジングチャンネル（ビード）
２１ａ，２２ａ，２３ａ，２３ｂ  ガラス当接面
２３ｃ  ガラス当接面に挟まれる面
３５ａ，３５ｂ  ガラスパネル
４０  ビード
４２ａ〜４２ｄ  ガラス当接面
４３ａ〜４３ｃ  ガラス当接面に挟まれる面
４０２ａ〜４０２ｃ  ガラス当接面
４０３ａ，４０３ｂ  ガラス当接面に挟まれる面
【図１】
2004169511.tif 000003
【図２】
2004169511.tif 000004
【図３】
2004169511.tif 000005
【図４】
2004169511.tif 000006